(57)【要約】【課題】ユーザーが現在市場で鑑賞することができる膨大な数の映画またはビデオ作品の中から、よりユーザー自身の嗜好にあった作品を容易に選択できるような情報提供サービスを行う。【解決手段】各作品ごとに「感動」や「笑い」などの各感情項目を数値評価したデータベースを構築し、任意のある作品（当該作品）と推奨関連作品の感情項目の相関性または類似性を加味して推奨関連作品を前記データベースを用いて計算抽出し、前記当該作品の情報表示画面と同一の画面上にてそれら推奨関連作品を表示提供する。【選択図】図２
2005115877.tif 000002
【特許請求の範囲】
【請求項１】
インターネットを利用して映画またはビデオ作品情報を表示提供するサービスで、当該作品に関連するその他の推奨作品をデータベースより計算抽出し表示する場合において、「感動」や「笑い」など作品を鑑賞した際に受ける感情の項目を各作品ごとに数値評価したデータベースを構築し、それら感情の項目の評価を加味して作品を計算抽出し、当該作品紹介画面と同一画面上に表示提供するサービス。
【発明の詳細な説明】
【技術分野】
【０００１】
本発明はインターネットと接続したパーソナルコンピュータやインターネットと接続した携帯電話を用い利用可能な、映画またはビデオ作品の情報提供に関するものである。
【背景技術】
【０００２】
インターネットを利用して映画またはビデオ情報を表示提供するサービスにおいて、当該作品に関連するその他の推奨作品（以下推奨関連作品と表示）をデータベースより計算抽出し表示する際、当該作品と推奨関連作品との相関項目または類似項目は、スタッフ（監督や脚本家など）やキャスト（出演者）、または作品ジャンル（ヒューマンドラマやサスペンスや時代劇など）、または製作年代、または作品全体の人気度などであり、感動や笑いなど作品を鑑賞した際に鑑賞者が受ける感情を各作品ごとに数値評価したデータベースを構築し、それら感情の項目を相関項目または類似項目として加味し、推奨関連作品を計算抽出し表示提供しているようなサービスは存在しない。
【特許文献１】特開２００１−３５０７７３号
【非特許文献１】特になし
【発明の開示】
【発明が解決しようとする課題】
【０００３】
映画作品やビデオ作品は、その作品のジャンルや出演者を目当てに鑑賞するだけではない。
【０００４】
鑑賞者はその作品を鑑賞した結果として「感動したい」「笑いたい」「ほのぼのした気持ちになりたい」など鑑賞者自身の感情の変化を期待している。
【０００５】
しかし、従来のサービスではユーザーの好みの任意のある作品と同様の感情変化が期待できる推奨関連作品をデータベースより計算抽出し表示していないため、ユーザーは自分の好みに合致した推奨関連作品を容易に知ることができない。
【課題を解決するための手段】
【０００６】
「感動」や「笑い」など映画やビデオ作品を鑑賞した際に鑑賞者が受ける感情を項目（以下感情項目と表示）として設定し、各作品ごとに各感情項目を数値評価したデータベースを構築する。
【０００７】
任意のある作品に関する情報表示画面において当該作品と関連する推奨作品を表示する際に、当該作品と推奨関連作品の感情項目の相関性または類似性を加味しデータベースより推奨関連作品を計算抽出し表示する。
【発明の効果】
【０００８】
現在市場に出回っている鑑賞することができる映画またはビデオ作品は膨大な数であり、これらの作品群の中からユーザー自身が鑑賞した時に感じたい感情の嗜好にあった作品を選択するために、ユーザーはインターネットや雑誌メディアなどで第三者や映画評論家などが記した感想記事や評論記事を見渡し、鑑賞する作品の選択を行っている。
【０００９】
しかし、この現状においては、ユーザーは作品選択に時間がかかり効率的ではない。
【００１０】
任意のある作品に関する情報表示画面において、当該作品と推奨関連作品の感情項目の相関性または類似性を加味し、データベースより推奨関連作品を計算抽出し表示することにより、「大好きなこの作品と同じように、感動を与えてくれる作品」、「大好きなこの作品と同じように、笑いを与えてくれる劇場公開中の新作」など従来にない作品の指針をユーザーに対して手軽に提供することができ、またこれらの推奨関連作品の表示は映画配給会社やビデオメーカーにとっても作品ＰＲという観点において極めて有効である。
【発明を実施するための最良の形態】
【００１１】
インターネットと接続したパーソナルコンピュータやインターネットと接続した携帯電話やインターネットと接続したテレビを通信回線およびインターネットを利用し本サービス提供者のホストサーバーと接続し情報の送受信を行う。
【００１２】
各作品ごとに各感情項目を数値評価したデータベースのための作品評価データ提供は、本サービス提供者が任意に選定した個人や複数の人間によりなされることもできるし、または複数の第三者から作品評価データの提供を受け、それを集計してもよい。
【００１３】
任意のある作品に関する情報表示画面において当該作品と関連する推奨作品を表示する際に、当該作品と推奨関連作品の感情項目の相関性または類似性を加味しデータベースより推奨関連作品を計算抽出し表示する。
【００１４】
その場合、推奨関連作品はジャンルや製作年代を当該作品と一致させて表示することもできる。
【００１５】
また、推奨関連作品は当該作品と感情項目において相関性や類似性を持った劇場公開予定作品や公開中の作品などの新作として表示することもできる。
【００１６】
また、当該作品と感情項目において相関性や類似性を持った推奨関連作品は「推奨」や「お薦め」などの言葉を使用せず単なる「関連作品」など他の言葉を使用して紹介することもでき、また、紹介文がなくても構わない。
【実施例１】
【００１７】
以下、図面を参照して本発明の一実施例を説明する。
【００１８】
図１に本発明を提供する際のシステムネットワーク概念構成を示す。  ユーザー端末であるパーソナルコンピュータ１０や携帯電話１１やテレビ１２とインターネット１３との接続、および本サービス提供者のコンピュータホストサーバー１４（以下、ホストサーバー１４と記す。）とインターネットとの接続はそれぞれ通信回線により接続される。
【００１９】
インターネット１３と接続したパーソナルコンピュータ１０やインターネット１３と接続した携帯電話１１やインターネット１３と接続したテレビ１２を通信回線およびインターネットを利用しホストサーバー１４と接続し、情報の送受信を行う。
【００２０】
各作品ごとに各感情項目を数値評価したデータベースをホストサーバー１４内に構築する。
【００２１】
その際の作品評価データ提供は、本サービス提供者が任意に選定した個人や複数の人間によりなされることもできるし、または複数の第三者から作品評価データの提供を受け、それを集計してもよい。
【００２２】
ある作品Ａ（仮にこの作品は感情項目「感動」の評価が他の作品の平均と比較して高く、ジャンルはヒューマンドラマであり、1975年に製作された作品だと仮定する。）に関する情報表示画面において当該作品Ａと関連する推奨作品を表示する際に、当該作品Ａと推奨関連作品の感情項目の相関性または類似性を加味しデータベースより推奨関連作品を計算抽出し表示した例を図２に示す。
【００２３】
図２に記されている推奨関連作品Ｂ、Ｃ、Ｄは作品Ａと同様に感情項目「感動」の評価が他の作品の平均と比較して高く、同様の製作年代であり、かつ同一ジャンルの作品を抽出し推奨関連作品として同一画面上に表示している。
【００２４】
これら推奨関連作品Ｂ、Ｃ、Ｄの抽出は、データベース内の検索条件として、製作年代とジャンルを一致させ、感情項目「感動」の評価が高い作品を抽出すれば容易に行うことができる。
【００２５】
図２に記されている推奨関連作品Ｅ、Ｆ、Ｇは作品Ａと同様に感情項目「感動」の評価が他の作品の平均と比較して高く、同様の製作年代であり、ジャンル違いの作品を抽出し推奨関連作品として同一画面上に表示している。
【００２６】
これら推奨関連作品Ｅ、Ｆ、Ｇの抽出は、データベース内の検索条件として、ジャンルは条件に加えず、製作年代のみを一致させ、感情項目「感動」の評価が高い作品を抽出すれば容易に行うことができる。
【００２７】
図２に記されている推奨関連作品Ｈ、Ｉ、Ｊは作品Ａと同様に感情項目「感動」の評価が他の作品の平均と比較して高く、最近レンタルを開始したビデオ作品や現在劇場公開中もしくは今後公開予定の新作を抽出し推奨関連作品として同一画面上に表示している。
【００２８】
これら推奨関連作品Ｈ、Ｉ、Ｊの抽出は、データベース内の検索条件として、製作年代が最近のものとし、感情項目「感動」の評価が高い作品を抽出すれば容易に行うことができる。
【００２９】
尚、図中の作品Ａ、作品Ｂ、作品Ｃ、作品Ｄ、作品Ｅ、作品Ｆ、作品Ｇ、作品Ｈ、作品Ｉ、作品Ｊは、実際には「カッコーの巣の上で」や「クレイマー、クレイマー」や「ロッキー」のような作品タイトルである。
【産業上の利用可能性】
【００３０】
任意のある作品に関する情報表示画面において、当該作品と推奨関連作品の感情項目の相関性または類似性を加味し、データベースより推奨関連作品を計算抽出し表示することにより、「大好きなこの作品と同じように、感動を与えてくれる作品」、「大好きなこの作品と同じように、笑いを与えてくれる劇場公開中の新作」など従来にない作品の指針をユーザーに対して手軽に提供することができ、これらの推奨関連作品の表示は映画配給会社やビデオメーカーにとっても作品ＰＲという観点において極めて有効である。
【図面の簡単な説明】
【００３１】
【図１】本発明の一実施例におけるシステムネットワーク概念構成図である。
【図２】本発明の一実施例を示す当該作品の情報画面に推奨関連作品を計算抽出し表示した説明図である。
【符号の説明】
【００３２】
１０    パーソナルコンピュータ
１１    携帯電話
１２    テレビ
１３    インターネット
１４    コンピュータホストサーバー
作品Ａ    任意の当該作品
作品Ｂ    感情項目「感動」の評価が他の作品の平均と比較して高く、同一の製作年代であり、かつ同一ジャンルの推奨関連作品。
作品Ｃ    感情項目「感動」の評価が他の作品の平均と比較して高く、同一の製作年代であり、かつ同一ジャンルの推奨関連作品。
作品Ｄ    感情項目「感動」の評価が他の作品の平均と比較して高く、同一の製作年代であり、かつ同一ジャンルの推奨関連作品。
作品Ｅ    感情項目「感動」の評価が他の作品の平均と比較して高く、同一の製作年代であり、ジャンル違いの推奨関連作品。
作品Ｆ    感情項目「感動」の評価が他の作品の平均と比較して高く、同一の製作年代であり、ジャンル違いの推奨関連作品。
作品Ｇ    感情項目「感動」の評価が他の作品の平均と比較して高く、同一の製作年代であり、ジャンル違いの推奨関連作品。
作品Ｈ    感情項目「感動」の評価が他の作品の平均と比較して高く、最近レンタルを開始したビデオ作品や現在劇場公開中または今後公開予定の推奨関連新作。
作品Ｉ    感情項目「感動」の評価が他の作品の平均と比較して高く、最近レンタルを開始したビデオ作品や現在劇場公開中または今後公開予定の推奨関連新作。
作品Ｊ    感情項目「感動」の評価が他の作品の平均と比較して高く、最近レンタルを開始したビデオ作品や現在劇場公開中または今後公開予定の推奨関連新作。
【図１】
2005115877.tif 000003
【図２】
2005115877.tif 000004